【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
話者が発話する時に生ずる調音器官の運動を調音器官およびその周辺の外皮の少なくとも一部から計測して入力データを生成する調音器官形態入力部１０１と、
話者の発話モードを入力する発話モード入力部１０２と、
話者の発話に基づいて上記調音器官形態入力部により生成された入力データを、あらかじめ準備しておいた１種類の標準パターンと比較し、音声を検出する音声検出部１０３とを具備し、
該発話モード入力部１０２により検出された発話モードが該１種類の標準パターンの発話モードと一致した場合音声検出処理を行うことを特徴とする音声検出装置。
【請求項２】
請求項１記載の音声検出装置において該標準パターンの発話モードを無音声発話モードとすることを特徴とする音声検出装置。
【請求項３】
話者が発話する時に生ずる調音器官の運動を調音器官およびその周辺の外皮の少なくとも一部から計測して入力データを生成する調音器官形態入力部１０１と、
話者の発話モードを入力する発話モード入力部１０２と、
話者の発話に基づいて上記調音器官形態入力部により生成された入力データを、あらかじめ準備しておいた複数種類の標準パターンの内の１種類の標準パターンと比較し、音声を検出する音声検出部１０３とを具備し、
該発話モード入力部１０２により検出された発話モードと一致する発話モードの標準パターン１種類を標準パターン選択部１１０で選択し、音声検出処理を行うことを特徴とする音声検出装置。
【請求項４】
請求項３記載の音声検出装置において複数の標準パターンは、無音声発話モード、有声音発話モード、無声音発話モードの標準パターンを含むことを特徴とする音声検出装置。
【請求項５】
請求項３記載の音声検出装置において複数の標準パターンは、無音声発話モードおよび有声音発話モードの標準パターンを含むことを特徴とする音声検出装置。
【請求項６】
請求項１、２、３、４または５記載の音声検出装置の発話モード入力部において話者の発話の声量をマイクロホン２０２によって検出し、計測された騒音レベルに応じて発話モードを決定することを特徴とする音声検出装置。
【請求項７】
請求項６記載の音声検出装置の発話モード入力部において計測される騒音レベルの測定時間が短期間ｔ０であり、該騒音レベルに応じて発話モードを決定することを特徴とする音声検出装置。
【請求項８】
請求項６記載の音声検出装置の発話モード入力部において計測される騒音レベルの測定時間が長期間ｔ１の平均騒音レベルであり、該平均騒音レベルに応じて発話モードを決定することを特徴とする音声検出装置。
【請求項９】
請求項６記載の音声検出装置の発話モード入力部において計測される騒音レベルの指標が短期間ｔ０に計測された騒音レベルと長期間ｔ１の平均騒音レベルとの組合せにより決定され、該指標に応じて発話モードを決定することを特徴とする音声検出装置。
【請求項１０】
話者が発話する時に生ずる調音器官の運動を調音器官およびその周辺の外皮の少なくとも一部から計測して入力データを生成する調音器官形態入力部１０１と、
話者の発話モードを入力する発話モード入力部１０２と、
話者の発話に基づいて上記調音器官形態入力部により生成された入力データを、あらかじめ準備しておいた複数の標準パターンの内の２つ以上と比較し、音声を検出する音声検出部１０３とを具備し、
該発話モード入力部１０２により検出された発話モードと一致する該発話モードおよび該発話モードと類似する発話モードに対応する２種類以上の標準パターンを標準パターン選択部１１０で選択し、音声検出処理を行うことを特徴とする音声検出装置。
【請求項１１】
請求項６記載の音声検出装置の発話モード入力部において計測される騒音レベルが、短期間ｔ０に計測された騒音レベルと長期間に計測される平均騒音レベルの２種類であり、該２種類の騒音レベルにより決定される発話モードが異なる場合、該２つの発話モードに対応する２種類の標準パターンを標準パターン選択部１１０で選択し、音声検出処理を行うことを特徴とする音声検出装置。
【請求項１２】
請求項１０記載の音声検出装置において標準パターン記憶部１１１に音声の大小、音声の高低、音声の長短を特徴とする複数の有声音発話モードの標準パターンを記憶させることを特徴とする音声検出装置。
【請求項１３】
請求項３、４、５、６または１０記載の音声検出装置の発話モード入力部において検出された発話モードに対応して、入力された音声データの機能を切り替えることを特徴とする音声検出装置。
【請求項１４】
請求項１３記載の音声検出装置における発話モードの機能として、コード化されたテキスト情報を入力する機能、特定の操作を指示するファンクション機能、入力を中止する機能を有することを特徴とする音声検出装置。
【請求項１５】
請求項１３記載の音声検出装置における発話モードの機能として、使用中のアプリケーションソフトを発話モードに応じて自動的に切り替えることを特徴とする音声検出装置。
【請求項１６】
請求項１、２、３、４、５、６または１０記載の音声検出装置の調音器官形態入力部１０１において正反射光スポット法を使用することを特徴とする音声検出装置。
【請求項１７】
請求項１、２、３、４、５、６または１０記載の音声検出装置の調音器官形態入力部１０１においてオプティカルフロー法を使用することを特徴とする音声検出装置。
【請求項１８】
請求項１、２、３、４、５、６または１０記載の音声検出装置の調音器官形態入力部１０１においてマーカ法を使用することを特徴とする音声検出装置。
【請求項１９】
請求項１８記載の音声検出装置において、マーカの動きを話者の横顔から検出することを特徴とする音声検出装置。
【請求項２０】
話者が発話する時に生ずる調音器官の運動を調音器官およびその周辺の外皮の少なくとも一部から計測して入力データを生成する調音器官形態入力部１０１と、
話者の発話モードを入力する発話モード入力部１０２と、
話者の発話に基づいて上記調音器官形態入力部により生成された入力データを、あらかじめ準備しておいた無声音発話時の標準パターンと比較し、音声を検出する音声検出部１０３とを有することを特徴とする音声検出装置。
【請求項２１】
発話に基づいて発話の特徴を表す入力データを生成する入力部１０１と、
話者の発話モードを入力する発話モード入力部１０２と、
話者の発話に基づいて上記入力部により生成された入力データを、あらかじめ準備しておいた１種類の標準パターンと比較し、音声を検出する音声検出部１０３とを具備し、
該発話モード入力部１０２により検出された発話モードが該１種類の標準パターンの発話モードと一致した場合音声検出処理を行うことを特徴とする音声検出装置。
【請求項２２】
発話に基づいて発話の特徴を表す入力データを生成する入力部１０１と、
話者の発話モードを入力する発話モード入力部１０２と、
話者の発話に基づいて上記入力部により生成された入力データを、あらかじめ準備しておいた標準パターンと比較し、音声を検出する音声検出部１０３とを具備し、
発話モード入力部において検出された発話モードに対応して、入力された音声データの機能を切り替えることを特徴とする音声検出装置。
【請求項２３】
話者が発話する時に生ずる調音器官の運動を、調音器官形態入力部１０１により、調音器官およびその周辺の外皮の少なくとも一部から計測して入力データを生成するステップと、
発話モード入力部１０２により、話者の発話モードを入力するステップと、
音声検出部１０３により、話者の発話に基づいて上記調音器官形態入力部により生成された入力データを、あらかじめ準備しておいた１種類の標準パターンと比較し、音声を検出するステップとを有し、
該発話モード入力部１０２により検出された発話モードが該１種類の標準パターンの発話モードと一致した場合音声検出処理を行うことを特徴とする音声検出方法。
【請求項２４】
話者が発話する時に生ずる調音器官の運動を、調音器官形態入力部１０１により、調音器官およびその周辺の外皮の少なくとも一部から計測して入力データを生成するステップと、
発話モード入力部１０２により話者の発話モードを入力するステップと、
音声検出部１０３により、話者の発話に基づいて上記調音器官形態入力部により生成された入力データを、あらかじめ準備しておいた複数種類の標準パターンの内の１種類の標準パターンと比較し、音声を検出するステップとを有し、
該発話モード入力部１０２により検出された発話モードと一致する発話モードの標準パターン１種類を標準パターン選択部１１０で選択し、音声検出処理を行うことを特徴とする音声検出方法。
【請求項２５】
話者が発話する時に生ずる調音器官の運動を、調音器官形態入力部１０１により、調音器官およびその周辺の外皮の少なくとも一部から計測して入力データを生成するステップと、
発話モード入力部１０２により話者の発話モードを入力するステップと、
音声検出部１０３により、話者の発話に基づいて上記調音器官形態入力部により生成された入力データを、あらかじめ準備しておいた複数の標準パターンの内の２つ以上と比較し、音声を検出するステップとを有し、
該発話モード入力部１０２により検出された発話モードと一致する該発話モードおよび該発話モードと類似する発話モードに対応する２種類以上の標準パターンを標準パターン選択部１１０で選択し、音声検出処理を行うことを特徴とする音声検出方法。
【請求項２６】
話者が発話する時に生ずる調音器官の運動を、調音器官形態入力部１０１により、調音器官およびその周辺の外皮の少なくとも一部から計測して入力データを生成するステップと、
発話モード入力部１０２により話者の発話モードを入力するステップと、
音声検出部１０３により、話者の発話に基づいて上記調音器官形態入力部により生成された入力データを、あらかじめ準備しておいた無声音発話時の標準パターンと比較し、音声を検出するステップとを有することを特徴とする音声検出方法。
【請求項２７】
入力部１０１により発話に基づいて発話の特徴を表す入力データを生成するステップと、
発話モード入力部１０２により話者の発話モードを入力するステップと、
音声検出部１０３により、話者の発話に基づいて上記入力部により生成された入力データを、あらかじめ準備しておいた１種類の標準パターンと比較し、音声を検出するステップとを有し、
該発話モード入力部１０２により検出された発話モードが該１種類の標準パターンの発話モードと一致した場合音声検出処理を行うことを特徴とする音声検出方法。
【請求項２８】
入力部１０１により発話に基づいて発話の特徴を表す入力データを生成するステップと、
発話モード入力部１０２により話者の発話モードを入力するステップと、
音声検出部１０３により、話者の発話に基づいて上記入力部により生成された入力データを、あらかじめ準備しておいた標準パターンと比較し、音声を検出するステップとを有し、
発話モード入力部において検出された発話モードに対応して、入力された音声データの機能を切り替えることを特徴とする音声検出方法。